(57)【特許請求の範囲】
【請求項１】
記録用紙を送りながらヘッドユニットからインク滴を吐出して画像を形成するインクジェット記録装置において、
前記インクジェット記録装置は、該インクジェット記録装置とは別体に設けられ、前記ヘッドユニットの機能を維持回復させる記録装置メンテナンスキットを取り付け自在であって、
前記ヘッドユニットは、インクジェット記録装置から外へ引き出し自在であり、
前記インクジェット記録装置は、前記ヘッドユニットが前記インクジェット記録装置から外へ引き出され、引き出された前記ヘッドユニットに前記記録装置メンテナンスキットが取り付けられた状態で、前記記録装置メンテナンスキットに電気信号や電力を供給することによって前記記録装置メンテナンスキットを動作させることを特徴とするインクジェット記録装置。
【請求項２】
前記ヘッドユニットは、前記記録装置メンテナンスキットを取り付け自在であることを特徴とする請求項１に記載のインクジェット記録装置。
【請求項３】
前記ヘッドユニットは、前記ヘッドユニットの機能を維持回復させる手段を有することを特徴とする請求項１に記載のインクジェット記録装置。
【請求項４】
前記記録装置メンテナンスキットが有する搬送装置により搬送される記録用紙に対して前記ヘッドユニットからインク滴を吐出することにより記録用紙に画像を形成することを特徴とする請求項１乃至３記載のインクジェット記録装置。
【請求項５】
記録用紙を送りながらヘッドユニットからインク滴を吐出して画像を形成するインクジェット記録装置のヘッドユニットの機能を維持回復させる記録装置メンテナンスキットであって、
前記記録装置メンテナンスキットは、インクジェット記録装置とは別体に設けられ、前記インクジェット記録装置に取り付け自在であって、
前記記録装置メンテナンスキットは、前記ヘッドユニットが前記インクジェット記録装置から外へ引き出され、引き出された前記ヘッドユニットに前記記録装置メンテナンスキットが取り付けられた状態で、前記インクジェット記録装置から電気信号や電力を供給されることによって動作することを特徴とする記録装置メンテナンスキット。
【請求項６】
前記記録装置メンテナンスキットは、前記ヘッドユニットへ記録用紙を搬送する搬送装置を備えることを特徴とする請求項５に記載の記録装置メンテナンスキット。
【発明の詳細な説明】
【技術分野】
【０００１】
本発明は、インクジェット記録装置及び記録装置メンテナンスキットに関し、さらに詳しくは、ライン型インクジェットプリンタや複写機等の記録装置において、ヘッドユニットを装置本体から引き出し、記録装置メンテナンスキットを取り付け、ヘッドユニットの維持回復動作等のメンテナンスを行うようにしたインクジェット記録装置及び記録装置メンテナンスキットに関する。
【背景技術】
【０００２】
ライン型インクジェットプリンタや複写機等の記録装置において、インクジェットヘッドのノズルの目詰まりによるインクの非噴射は画像の形成が局部的に不可能となり、画像品質が低下する、そのため、空打ちや吸引、ワイピング等でヘッドの目詰まりを解消し、ヘッドの吐出機能を回復させるための維持回復手段が設けられている。また、ヘッドの目詰まり解消や噴射曲がり確認のため、ノズルチェックパターンを印写し、ヘッドの目詰まりや噴射曲がりのないことを確認している。
【０００３】
また、インクジェットヘッド交換時には、記録装置のカバーを開閉し、関連部品の取り外し、取り付けを行い、故障ヘッドに替えて新しいヘッドを取り付ける。新しいヘッド取り替えが完了した後、前記したノズルチェックパターンの印写を行い、ヘッドの目詰まりや噴射曲がりのないことを確認している。ヘッドの目詰まりや噴射曲がりが有れば維持回復動作を実施し、ヘッドを正常状態に回復するようにしている。また、記録用紙のジャム等を処置するためにカバーを開閉し、ジャムを起こした記録用紙を除去し、必要箇所の調整や部品交換等を行った場合、作業が完了した後にも必ず前記したようにヘッドの状態を確認し、回復動作を行っている。
【０００４】
以上のように、インクジェットプリンタのキー部品であるインクジェットヘッドのノズルの目詰まりや噴射曲がり確認は、メンテナンスの全ての作業が終了してから行われるため、ノズルの目詰まりや噴射方向曲がり等でヘッドを正常状態に回復できずヘッドの不具合が発見されると、再度交換作業を行わなければならないという不具合があった。特に、ジャム等で記録用紙がヘッドのノズル面をこすり、紙粉等のゴミがノズルに詰まると、致命的な欠陥になる可能性が高い。
【発明の開示】
【発明が解決しようとする課題】
【０００５】
本発明は、ライン型インクジェット方式のプリンタや複写機等の記録装置において、ヘッドユニット及び関連部品の機能維持回復を容易に行うことができ、またジャムを起こした記録用紙の除去等のメンテナンスを容易にすることを目的とする。
また、記録装置のメンテナンス途中において、必要に応じてヘッドユニットの機能維持回復動作やノズルチェックパターンの打ち出しを可能にすることで無駄なメンテナンス作業を排除することを目的とする。
さらに、ヘッドユニットのメンテナンス時に必要に応じ取り付けて、ヘッドユニットの機能維持回復動作を行い、またノズルチェックパターンの打ち出しを行い、その場でヘッドの正常状態を確認することを可能にするメンテナンスキットを得ることを目的とする。
【課題を解決するための手段】
【０００７】
請求項１の発明は、記録用紙を送りながらヘッドユニットからインク滴を吐出して画像を形成するインクジェット記録装置において、前記インクジェット記録装置は、該インクジェット記録装置とは別体に設けられ、前記ヘッドユニットの機能を維持回復させる記録装置メンテナンスキットを取り付け自在であって、前記ヘッドユニットは、インクジェット記録装置から外へ引き出し自在であり、前記インクジェット記録装置は、前記ヘッドユニットが前記インクジェット記録装置から外へ引き出され、引き出された前記ヘッドユニットに前記記録装置メンテナンスキットが取り付けられた状態で、前記記録装置メンテナンスキットに電気信号や電力を供給することによって前記記録装置メンテナンスキットを動作させることを特徴としたものである。
【０００８】
請求項２の発明は、請求項１の発明において、前記ヘッドユニットは、前記記録装置メンテナンスキットを取り付け自在であることを特徴としたものである。
【０００９】
請求項３の発明は、請求項１の発明において、前記ヘッドユニットは、前記ヘッドユニットの機能を維持回復させる手段を有することを特徴としたものである。
【００１１】
請求項４の発明は、請求項１乃至３のいずれかの発明において、前記記録装置メンテナンスキットが有する搬送装置により搬送される記録用紙に対して前記ヘッドユニットからインク滴を吐出することにより記録用紙に画像を形成することを特徴としたものである。
【００１３】
請求項５の発明は、記録用紙を送りながらヘッドユニットからインク滴を吐出して画像を形成するインクジェット記録装置のヘッドユニットの機能を維持回復させる記録装置メンテナンスキットであって、前記記録装置メンテナンスキットは、インクジェット記録装置とは別体に設けられ、前記インクジェット記録装置に取り付け自在であって、前記記録装置メンテナンスキットは、前記ヘッドユニットが前記インクジェット記録装置から外へ引き出され、引き出された前記ヘッドユニットに前記記録装置メンテナンスキットが取り付けられた状態で、前記インクジェット記録装置から電気信号や電力を供給されることによって動作することを特徴としたものである。
【００１４】
請求項６の発明は、請求項５の発明において、前記記録装置メンテナンスキットは、前記ヘッドユニットへ記録用紙を搬送する搬送装置を備えることを特徴としたものである。
【発明の効果】
【００１５】
ヘッドユニットに該ヘッドユニットの機能を維持回復させる記録装置メンテナンスキットを取り付け自在としたので、メンテナンス作業の適宜の時点でヘッドユニットの機能維持回復動作及びチェックを行うことができ、メンテナンスが容易になる。
【発明を実施するための最良の形態】
【００１６】
以下、本発明の実施の形態を図１〜図１１に示す実施例に基づいて説明する。
図１は、ライン型インクジェット方式のプリンタや複写機からなる記録装置の非印写時における印写部を示す正面図である。
図１において、ヘッドユニット１はイエロ、マゼンタ、シアン、黒、各色のインク１１Ｙ、１１Ｍ、１１Ｃ、１１Ｋに対応した各色のインクジェットヘッド１０Ｙ、１０Ｍ、１０Ｃ、１０Ｋを有し、各色のインクを吐出可能である。また、各色のインク１１Ｙ、１１Ｍ、１１Ｃ、１１Ｋの吐出動作を行わないとき、各色のインクジェットヘッド１０Ｙ、１０Ｍ、１０Ｃ、１０Ｋは、ノズル面を保護する目的でヘッドキャップ１２Ｙ、１２Ｍ、１２Ｃ、１２Ｋで覆うように設けられている。
【００１７】
記録用紙１８の送り機構は、搬送ローラ１３、加圧ローラ１４、排紙ローラ１５、拍車１６、ガイド板１７等から構成されている。印写動作時には、印写動作前に各色のインクジェットヘッド１０Ｙ、１０Ｍ、１０Ｃ、１０Ｋは矢印Ａ方向に上昇し、ヘッドキャプ１２Ｙ、１２Ｍ、１２Ｃ、１２Ｋが矢印Ｂ方向に移動し、各インクジェットヘッド１０Ｙ、１０，Ｍ、１０Ｃ、１０Ｋは再度矢印Ｃ方向に下降し所定の位置で停止する。
【００１８】
図２は、ライン型インクジェット方式のプリンタや複写機からなる記録装置の印写時の印写部を示す正面図である。
プリンタや複写機が印写動作に入ると、搬送ローラ１３、加圧ローラ１４によって給紙された記録用紙１８上に画像情報に基づいて各色のインクジェットヘッド１０Ｙ、１０Ｍ、１０Ｃ、１０Ｋにより、各色のインク１１Ｙ、１１Ｍ、１１Ｃ、１１Ｋを吐出し画像を形成する。
【００１９】
図３は、インクジェットヘッドの機能維持回復動作を示す図である。
インクジェットヘッドの維持回復動作としては、空打ち動作、吸引、ワイピング等がある。
図３（Ａ）は、空打ち動作の例を示しており、ヘッドキャップ１２内にインク吸収体１９を収容し、側壁にワイパ２１を取り付け、下面にチューブ２０を取り付けてある。各色のインクジェットヘッド１０（１０Ｙ、１０Ｍ、１０Ｃ、１０Ｋ）をヘッドキャップ１２（１２Ｙ、１２Ｍ、１２Ｃ、１２Ｋ）で覆った状態で、インクジェットヘッド１０からインク１１（１１Ｙ、１１Ｍ、１１Ｃ、１１Ｋ）の吐出を行い、各インクジェットヘッドのノズルの目詰まりや乾燥による粘度の高くなったインクを排出してヘッド機能の回復を行う。また、ヘッドキャップ１２の底部に溜まったインクは、図示しない吸引装置よりチューブ２０を通して図示しない廃インクタンクへ導かれる。
【００２０】
図３（Ｂ）は、インクジェットヘッド内の気泡等を排除する例を示している。
インクジェットヘッド１０のノズル面から気泡等が入った場合に、インクジェットヘッド１０内の液室から気泡を排除する目的で、図示しない吸引装置によりチューブ２０を通して強制的にインク１１をインクジェットヘッド１０内から吸い出し、ヘッド機能の回復を行う。
【００２１】
図３（Ｃ）は、インクジェットヘッドのノズル面をワイパで払拭する例を示している。
インクジェットヘッド１０を矢印Ａ方向に移動させ、ヘッドキャップ１２を矢印Ｂ方向に移動させることでインクジェットヘッド１０のノズル面をワイパ２１でワイプし、ノズル面のゴミや付着したインク１１の清掃を行う。
以上のような維持回復動作により、インクジェットヘッド機能を正常に維持するようにしている。
【００２２】
図４は、ノズルチェックパターンの例を示す図である。
インクジェットヘッド１０のインク１１の吐出が正常か否かは、図４に示すようにノズルチェックパターンを矢印の方向に記録用紙１８を送りながら、各インクジェットヘッド１０の全ノズルから噴射して、画像が隙間なく等間隔でラインが描けるか否かをみることで可能である。もし、等間隔のラインが描かれていない場合は、再度維持回復動作を実施すればよい。しかし、以上の維持回復動作を装置が行えるのは、装置内部の各部品が完全にセットされ開閉装置等が閉じられた状態である場合に限られ、このような場合以外は安全性や機能の面から行うことができない。
【００２３】
また、開閉装置を開き、関係部品やユニットを外し、ヘッド交換を行った直後にはヘッド動作が正常かどうかの見極めが行えない。また、記録用紙１８のジャム等に処置するため開閉装置を開き、関係部品やユニットを外し、ジャムを起こした記録用紙１８を取り除く際、ジャムを起こした記録用紙１８でインクジェットヘッド１０のノズル面をこすり、紙粉やゴミを付着させたり、気泡を入れたりしたような場合には、インクジェットヘッドが正常かどうかの見極めができない。結局、関係する部品やユニットを組み込み、開閉装置を閉じて、ノズルチェックパターンの印写や維持回復機能動作を行うことになる。
このために、本発明は、ヘッドユニットのメンテナンス中の適宜の時点において、維持回復動作やノズルチェックパターンを印写可能にしたものである。
【００２４】
図５は、ヘッドユニットが装置本体内にセットされている状態を示す側面図で、記録用紙の供給側、つまりヘッドユニットの上流側から見た図である。図６は、ヘッドユニットが装置本体から前方に引き出された状態を示す側面図である。
前部外装カバー２４、後部外装カバー２５の内部には、各色のインクジェットヘッドを備えたヘッドユニット１を支持している前部サイドフレーム２２、後部サイドフレーム２３が設置され、前部サイドフレーム２２と後部サイドフレーム２３間に固定されたレール２９上にヘッドユニット１を固定支持しているスライドレール３０を配置して、ヘッドユニット１を支持している。
【００２５】
ヘッドユニット１に対する装置本体内部の図示しない制御部からの電気信号や図示しない電源部からの電力供給は、ヘッドユニット側コネクタ２６とサイドフレーム側コネクタ２７を介して供給される。ヘッド交換やジャムを起こした記録用紙除去等のメンテナンス時には開閉装置を開き、図６に示すようにヘッドユニット１を矢印Ｆ方向に引き出すと、ヘッドユニット１に固定されたスライドレール３０がレール２９上を移動し、ヘッドユニット１は前部外装カバー２４より外側に引き出すことができる。
【００２６】
ヘッドユニット１が前部外装カバー２４より外側、つまり前方に引き出されると、ヘッドユニット１のヘッドユニット側コネクタ２６と後部サイドフレーム２３のサイドフレーム側コネクタ２７は分離されて、装置本体内部の図示しない制御部に必要な電気信号や図示しない電源部からの電力供給が遮断された状態になる。
このように、ヘッドユニット１が装置本体外に引き出されることで、ヘッドユニット１や、各色のインクジェットヘッド１０や、ヘッドキャップ１２の交換や、ジャムを起こした記録用紙１８の除去や、その他のメンテナンスが容易になり、メンテナンスの時間効率が向上する。
【００２７】
図６に示すように、ヘッドユニット１が矢印Ｆ方向に引き出されることにより、サイドフレーム側コネクタ２７からヘッドユニット側コネクタ２６を介して行われていた電気信号や電力供給が遮断され、逆に今まで供給されていなかったスライドレール３０上のスライドレール側コネクタ２８から必要な電気信号や電力供給がなされる。スライドレール側コネクタ２８への電気信号や電力供給の切り替えは、サイドフレーム側コネクタ２７とヘッドユニット側コネクタ２６の接続が遮断されたことを図示しない制御部にて判断して行われる。
【００２８】
ヘッドユニット１が装置本体内に配置され、サイドフレーム側コネクタ２７とヘッドユニット側コネクタ２６の接続がなされているときは、図５に示すようにヘッドユニット１に取り付けられたシャッタ３１が後部サイドフレーム２３に設けられたフォトセンサ３２の光を遮断し、ヘッドユニット１が正規の位置、つまりヘッドユニットがインク滴を吐出して画像を形成する位置にセットされていることを示す信号が図示しない制御部に送られる。このような状態では、スライドレール側コネクタ２８へ電気信号や電力供給はなされない。
【００２９】
一方、ヘッドユニット１が装置本体の外部に引き出されると、図６に示すようにシャッタ３１はフォトセンサ３２から離れ通電状態となり、ヘッドユニット１が正規の位置にないことを示す信号が図示しない制御部に送られ、図示しない制御部からサイドフレーム側コネクタ２７への電気信号や電力供給が遮断され、替わりにスライドレール側コネクタ２８へ電気信号や電力供給がなされる。なお、サイドフレーム側コネクタ２７とヘッドユニット側コネクタ２６の接続状態を検知するために、フォトセンサ３２は透過型のフォトセンサでも良く、フォトセンサに替えて接点型シャッタを使用しても良い。さらに、センサを設けずヘッドユニットから帰ってくる電気信号の遮断を図示しない制御部が検知して電気信号や電力供給を切り替えても良い。
【００３０】
また、ヘッドユニット側コネクタ２６とサイドフレーム側コネクタ２７の接続時のヘッドキャップ１２やその他電気部品の内部抵抗値や電流値や電圧を図示しない制御部が監視し、非接続時の値になったときにサイドフレーム側コネクタ２７とヘッドユニット側コネクタ２６の接続が切れたとしてスライドレール側コネクタ２８へ電気信号や電力供給を行っても良い。
【００３１】
以上のように、ヘッドユニット１に対する電気信号や電力供給が遮断したときにスライドレール側コネクタ２８へ電気信号や電力供給を行うことでメンテナンス時のヘッドユニットのチェック等に必要な電気信号や、電力を供給することが可能になる。また、ヘッドユニット１が正規の位置にある時とメンテナンス時とで電気信号や電力供給を切り替えることで、異物の接触等によるショート等のトラブルの排除にもなる。
【００３２】
図７は、装置本体から引き出されたヘッドユニットに記録装置メンテナンスキットを取り付けた状態を示す側面図である。
図７において、記録装置メンテナンスキット５０にはヘッドユニット１へ電気信号や、電力を供給するメンテナンスキット出力側コネクタ５３がケーブル５５を介して接続されており、ヘッドユニット１のヘッドユニット側コネクタ２６に接続される。また、記録装置メンテナンスキット５０には装置本体から電気信号や、電力を供給されるメンテナンスキット入力側コネクタ５２がケーブル５４を介して接続されており、装置本体のスライドレール３０に取り付けられたスライドレール側コネクタ２８へ接続される。
また、記録装置メンテナンスキット５０には記録用紙１８を挿入する給紙口５１が設けられている。
【００３３】
ヘッドユニット１には、スライドレール３０を固定しているガイドリブ３３が形成されており、記録装置メンテナンスキット５０をガイドリブ３３上に載せてスライドして取り付ける。その他の取付手段として、ねじ止め、引っかけ、クランプ等が例示されるが、いずれにしてもヘッドユニット１に着脱自在に固定されればよい。
【００３４】
図８は、記録装置メンテナンスキットの上カバーを外した状態を示す平面図である。
記録装置メンテナンスキット５０には駆動モータ５６が設けられ、駆動モータ５６の回転軸にはピニオン５７が固着されている、ピニオン５７と噛み合うギヤ５８は搬送ローラ６０の固着軸である駆動軸５９に固着されている。また、加圧ローラ７０は、図示しない加圧手段により搬送ローラ６０の軸心方向に加圧された状態で軸に固着されたギヤ６１によって図示しない伝達ギヤによって回転力が伝えられる。したがって、駆動モータ５６の回転力によって給紙口５１より搬送ローラ６０と加圧ローラ７０に挟まれた記録用紙１８を矢印Ｇ方向に搬送することが出来る。
【００３５】
一方、排紙ローラ６６の被駆動軸６５にはプーリ６３が固着されている。被駆動軸６５の他端にはギヤ６７が固着されており、拍車６８に図示しない伝達手段にて排紙ローラ６６から回転力を受けている。プーリ６２、プーリ６３間にはベルト６４が掛けられているため、駆動モータ５６の回転力により搬送ローラ６０と同一方向（矢印Ｇ）方向に排紙ローラ６６も拍車６８も回転し、搬送ローラ６０、加圧ローラ７０にて送られた記録用紙１８の先端を挟み、記録用紙１８を排紙口７１より排出可能である。
【００３６】
ガイド板６９の下部に制御部７４が配置され、メンテナンスキット入力側コネクタ５２、メンテナンスキット出力側コネクタ５３を介してケーブル５４、ケーブル５５より電気信号や電力供給が装置本体から伝えられている。
【００３７】
図９は、記録装置メンテナンスキットの操作部を示す図である。
記録装置メンテナンスキット５０の側面には、電源オンオフのパワースイッチ７５、維持回復動作を行わせる維持回復動作スイッチ（Ａ）、（Ｂ）、（Ｃ）７２ａ、７２ｂ、７２ｃ、図４に示すノズルチェックパターンを印写するテスト印字スイッチ７３が配置され、それぞれ図示しないケーブル等で制御部７４と接続されている。
【００３８】
図１０は、ヘッドユニットに記録装置メンテナンスキットを取り付けた際の様子を示す正面図である。
記録装置メンテナンスキット５０を用いてヘッドの維持回復動作を行う際は、装置本体から引き出された状態のヘッドユニット１に、ガイドリブ３３を利用して記録装置メンテナンスキット５０を取り付ける。
そこで、記録装置メンテナンスキット５０の維持回復動作スイッチ（Ａ）７２ａをオンにすることにより、図３（Ａ）に基づいて説明したように空打ち動作を行い、各インクジェットヘッド１０の回復動作を行う。また、維持回復動作スイッチ（Ｂ）７２ｂをオンにすることにより、図３（Ｂ）に基づいて説明したように強制吸引動作を行い、各インクジェットヘッド１０の回復動作を行う。維持回復動作スイッチ（Ｃ）７２ｃをオンにすることにより、図３（Ｃ）に基づいて説明したようにワイピング動作を行い、各インクジェットヘッド１０のノズル面の回復動作を行う。
【００３９】
図１１は、ヘッドユニットに記録装置メンテナンスキットを取り付け、ノズルチェックパターン印写する際の様子を示す正面図である。
各ヘッドが正常状態に回復したか否かを確かめるためにテスト印字スイッチ７３をオンにすると、図１１に示すように、記録用紙１８の搬送手段が記録装置メンテナンスキット５０の搬送手段を使用する以外は、前記した装置本体の動作と同様の動作を行い、図４に示すノズルチェックパターンを印写することができる。
【００４０】
以上のように、引き出されたヘッドユニット１に記録装置メンテナンスキット５０を取り付け、記録装置メンテナンスキット５０に備えられた記録用紙１８の搬送機構を用いて、ヘッドユニット１のメンテナンスに必要な電気信号や機能維持回復動作に必要な電力供給を装置本体から供給を受け、装置本体内の制御部の機能を活用するので、記録装置メンテナンスキット５０は簡単な制御部を持つのみで容易にヘッドユニット１のメンテナンスが可能になる。さらに、メンテナンス作業がすべて完了してからインクジェットヘッド１０のチェックを行い、不具合時に再度メンテナンス作業を行う不具合が解消される。
【００４１】
次に、装置本体から電気信号や電力供給を受ける代わりに電力供給のみを受ける場合には、本体装置の電源をオフにしてヘッドユニット１を引き出し、記録装置メンテナンスキット５０を取り付け、メンテナンスキット入力側コネクタ５２、メンテナンスキット出力側コネクタ５３を接続する。この時、ヘッドユニット１の有無をシャッタ３１フォトセンサ３２で検出し、電力の供給をスライドレール側コネクタ２８と切り替える代わりに、本体装置の電源オフ時に供給電力をスライドレール側コネクタ２８に行うよう切り替える。このようにして、本体装置からはメンテナンスに必要な電力供給のみを行う。
【００４２】
一方、記録装置メンテナンスキット５０の制御部７４は、メンテナンスに必要な維持回復動作のシーケンスや電力供給や信号の授受や電力の供給をヘッドユニット１に対し行うのみでなく、図４に示すノズルチェックパターンの保持、出力命令や駆動モータ５６への電力供給制御も併せて行う。
このようにして維持回復動作スイッチ（Ａ）、（Ｂ）、（Ｃ）７２ａ、７２ｂ、７２ｃやテスト印字スイッチ７３により動作させることにより本体装置とは全く関わりなく行うことが出来る。
【図面の簡単な説明】
【００４３】
【図１】ライン型インクジェット記録装置の非印写時における印写部を示す正面図である。
【図２】ライン型インクジェット記録装置の印写時における印写部を示す正面図である。
【図３】インクジェットヘッドの機能維持回復動作を示す図である。
【図４】ノズルチェックパターンの例を示す図である。
【図５】ヘッドユニットが装置本体内にセットされている状態を示す側面図である。
【図６】ヘッドユニットが装置本体から引き出された状態を示す側面図である。
【図７】装置本体から引き出されたヘッドユニットに記録装置メンテナンスキットを取り付けた状態を示す側面図である。
【図８】記録装置メンテナンスキットの上カバーを外した状態を示す平面図である。
【図９】記録装置メンテナンスキットの操作部を示す図である。
【図１０】ヘッドユニットに記録装置メンテナンスキットを取り付けた際の様子を示す正面図である。
【図１１】ヘッドユニットに記録装置メンテナンスキットを取り付け、ノズルチェックパターン印写する際の様子を示す正面図である。
【符号の説明】
【００４４】
１…ヘッドユニット、１０…インクジェットヘッド、１１…インク、１２…ヘッドキャップ、１３…搬送ローラ、１４…加圧ローラ、１５…排紙ローラ、１６…拍車、１７…ガイド板、１８…記録用紙、１９…インク吸収体、２０…チューブ、２１…ワイパ、２２…前部サイドフレーム、２３…後部サイドフレーム、２４…前部外装カバー、２５…後部外装カバー、２６…ヘッドユニット側コネクタ、２７…サイドフレーム側コネクタ、２８…スライドレール側コネクタ、２９…レール、３０…スライドレール、３１…シャッタ、３２…フォトセンサ、３３…ガイドリブ、５０…記録装置メンテナンスキット、５１…給紙口、５２…メンテナンスキット入力側コネクタ、５３…メンテナンスキット出力側コネクタ、５４，５５…ケーブル、５６…駆動モータ、５７…ピニオン、５８…ギヤ、５９…駆動軸、６０…搬送ローラ、６１…ギヤ、６２，６３…プーリ、６４…ベルト、６５…被駆動軸、６６…排紙ローラ、６７…ギヤ、６８…拍車、６９…ガイド板、７０…加圧ローラ、７１…排紙口、７２…維持回復動作スイッチ、７３…テスト印字スイッチ、７４…制御部、７５…パワースイッチ。
【図１】
0004674671.tif 000002
【図２】
0004674671.tif 000003
【図３】
0004674671.tif 000004
【図４】
0004674671.tif 000005
【図５】
0004674671.tif 000006
【図６】
0004674671.tif 000007
【図７】
0004674671.tif 000008
【図８】
0004674671.tif 000009
【図９】
0004674671.tif 000010
【図１０】
0004674671.tif 000011
【図１１】
0004674671.tif 000012